(57)【要約】【課題】利便性を低下させることなく使用者の目に対する悪影響を低減できる表示装置を提供する。【解決手段】映像を表示する表示部１０４と、表示部１０４の前面に取り付けて居室内の人体Ｈまでの距離を検出する人体センサ１０９とを備えたテレビジョン受像装置１において、人体センサ１０９から所定距離内の第１領域Ａ１内及び第１領域Ａ１の外側の第２領域Ａ２内に人体Ｈを検出しない際に表示部１０４の表示状態を所定の輝度の標準表示モードにし、第１領域Ａ１内に人体Ｈを検出した際に、表示部１０４の表示状態を標準表示モードよりも低輝度の第１低輝度モードにするとともに、第２領域Ａ２の外側から第２領域Ａ２に人体Ｈが進入した際に表示部１０４の表示状態を標準表示モードと第１低輝度モードとの間の輝度の第２低輝度モードにし、第１領域Ａ１から第２領域Ａ２に人体Ｈが進入した際に第１低輝度モードを維持する。【選択図】図４
2015039126.tif 000002
【特許請求の範囲】
【請求項１】
映像を表示する表示部と、前記表示部の前面に取り付けて居室内の人体までの距離を検出する人体センサとを備えた表示装置において、
前記人体センサから所定距離内の第１領域内及び第１領域の外側の第２領域内に人体を検出しない際に前記表示部の表示状態を所定の輝度の標準表示モードにし、
第１領域内に人体を検出した際に、前記表示部の表示状態を前記標準表示モードよりも低輝度の第１低輝度モードにするとともに、
第２領域の外側から第２領域に人体が進入した際に、前記表示部の表示状態を前記標準表示モードと第１低輝度モードとの間の輝度の第２低輝度モードにし、
第１領域から第２領域に人体が進入した際に第１低輝度モードを維持することを特徴とする表示装置。
【請求項２】
第１低輝度モードのときに映像を非表示にしたことを特徴とする請求項１に記載の表示装置。
【請求項３】
前記表示部の表示状態が前記標準表示モードまたは第２低輝度モードになっている際に第１領域に進入した人体が所定の第１滞在時間を超えて第１領域に滞在したときに第１低輝度モードに切り替えるとともに、
第２領域の外側から第２領域に進入した人体が所定の第２滞在時間を超えて第２領域に滞在したときに第２低輝度モードに切り替えることを特徴とする請求項１または請求項２に記載の表示装置。
【請求項４】
第２滞在時間よりも長い所定の輝度変更時間を超えて人体が第２領域に滞在した際に第２低輝度モードの輝度を下げることを特徴とする請求項３に記載の表示装置。
【請求項５】
第２低輝度モードに移行する頻度が所定値よりも大きいときに、第２低輝度モードの輝度を下げることを特徴とする請求項１〜請求項４のいずれかに記載の表示装置。
【請求項６】
音声を出力する音声出力部を備え、
第１低輝度モードの音量が前記標準表示モードの音量よりも大きいことを特徴とする請求項１〜請求項５のいずれかに記載の表示装置。
【請求項７】
媒体に記録された映像を再生する映像再生装置の接続時に該映像再生装置に対して制御信号を送信する送信部を備え、
前記映像再生装置による映像の再生中に第１低輝度モードに切り替えた際に再生動作を停止することを特徴とする請求項１〜請求項６のいずれかに記載の表示装置。
【発明の詳細な説明】
【技術分野】
【０００１】
本発明は、人体センサを備えた表示装置に関する。
【背景技術】
【０００２】
特許文献１には、表示部と人体センサとを備えた表示装置が開示されている。表示部は放送番組等の映像を表示する。人体センサは撮像部を有し、居室内の人体を撮影して画像処理により人体までの距離を検出する。
【０００３】
上記構成の表示装置において、表示部に映像を表示している際に人体が表示部に近づいて人体と表示部との間の距離が至近距離になったと判断すると、表示部の映像の輝度を低下させる。これにより、表示部に近づく使用者に対して表示部から至近距離よりも遠くに離れるように促すことができる。
【先行技術文献】
【特許文献】
【０００４】
【特許文献１】特開２０００−１５２１０９号公報
【発明の概要】
【発明が解決しようとする課題】
【０００５】
しかしながら、上記従来の表示装置によると、使用者が表示部に近づくと映像の輝度が低下する。この時、輝度が低すぎると使用者が映像を一部判別できず、映像内容を把握できないため利便性が悪い問題がある。また、映像の輝度が高すぎると使用者が表示部に対して至近距離で映像を視ることができ、使用者の目に悪影響が及ぶ問題があった。
【０００６】
本発明は、利便性を低下させることなく使用者の目に対する悪影響を低減できる表示装置を提供することを目的とする。
【課題を解決するための手段】
【０００７】
上記目的を達成するために、本発明は、映像を表示する表示部と、前記表示部の前面に取り付けて居室内の人体までの距離を検出する人体センサとを備えた表示装置において、
前記人体センサから所定距離内の第１領域内及び第１領域の外側の第２領域内に人体を検出しない際に前記表示部の表示状態を所定の輝度の標準表示モードにし、第１領域内に人体を検出した際に、前記表示部の表示状態を前記標準表示モードよりも低輝度の第１低輝度モードにするとともに、第２領域の外側から第２領域に人体が進入した際に、前記表示部の表示状態を前記標準表示モードと第１低輝度モードとの間の輝度の第２低輝度モードにし、第１領域から第２領域に人体が進入した際に第１低輝度モードを維持することを特徴としている。
【０００８】
この構成によると、表示部の表示状態を標準表示モードにしている際に、使用者が第２領域の外側から第２領域に進入すると、表示部の映像の輝度が低下する。使用者が第２領域よりも表示部に近い第１領域に進入すると、表示部の映像の輝度は更に低下する。この時、使用者が第１領域から第２領域に進入しても表示部の映像の輝度は上昇しない。
【０００９】
また本発明は、上記構成の表示装置において、第１低輝度モードのときに映像を非表示にすると好ましい。この構成によると、表示部の表示状態を標準表示モードにしている際に使用者が第１領域に進入すると表示部の映像は非表示になる。また、使用者が第１領域から第２領域に進入しても表示部の映像の非表示が維持される。
【００１０】
また本発明は、上記構成の表示装置において、前記表示部の表示状態が前記標準表示モードまたは第２低輝度モードになっている際に第１領域に進入した人体が所定の第１滞在時間を超えて第１領域に滞在したときに第１低輝度モードに切り替えるとともに、第２領域の外側から第２領域に進入した人体が所定の第２滞在時間を超えて第２領域に滞在したときに第２低輝度モードに切り替えるとより好ましい。
【００１１】
この構成によると、表示部の表示状態を例えば標準表示モードにしている際に、使用者が第１滞在時間を超えて第１領域に滞在したときに表示部の映像の輝度が低下する。また、表示部の表示状態を標準表示モードにしている際に、使用者が第２領域の外側から第２領域に進入して第２滞在時間を超えて第２領域に滞在したときに表示部の映像の輝度が低下する。
【００１２】
また本発明は、上記構成の表示装置において、第２滞在時間よりも長い所定の輝度変更時間を超えて人体が第２領域に滞在した際に第２低輝度モードの輝度を下げるとより好ましい。この構成によると、表示部の表示状態を標準表示モードにしている際に、使用者が輝度変更時間を超えて第２領域に滞在したときに表示部の映像の輝度が更に低下する。
【００１３】
また本発明は、上記構成の表示装置において、第２低輝度モードに移行する頻度が所定値よりも大きいときに、第２低輝度モードの輝度を下げると好ましい。
【００１４】
また本発明は、上記構成の表示装置において、音声を出力する音声出力部を備え、第１低輝度モードの音量が前記標準表示モードの音量よりも大きいとより好ましい。この構成によると、使用者が第１領域に進入すると音声出力部から出力される音声の音量が大きくなる。
【００１５】
また本発明は、上記構成の表示装置において、媒体に記録された映像を再生する映像再生装置の接続時に該映像再生装置に対して制御信号を送信する送信部を備え、前記映像再生装置による映像の再生中に第１低輝度モードに切り替えた際に再生動作を停止すると好ましい。この構成によると、映像再生装置による映像の再生中に使用者が第１領域に進入すると、映像再生装置の再生動作が停止する。
【発明の効果】
【００１６】
本発明によると、使用者が第２領域の外側から第２領域に進入すると第２低輝度モードにより表示部の映像の輝度が低下し、表示部から離れるように促される。これにより、第２領域の外側から第２領域に一時的に進入した使用者が第２低輝度モードによって映像を判別することができる。また、使用者が第２領域から第１領域に進入すると第１低輝度モードにより表示部の輝度が更に低下し、再度表示部から離れるように促される。これにより、使用者が表示部に対して至近距離の第１領域に進入すると、第１低輝度モードにより使用者を早急に退避させることができる。
【００１７】
また、使用者が第１領域から第２領域に進入すると第１低輝度モードが維持される。これにより、使用者が目に安全な第２領域外と誤認することを防止し、第２領域内での使用者の滞在が防止される。したがって、表示装置の利便性を低下させることなく、使用者の目に対する悪影響を低減することができる。
【図面の簡単な説明】
【００１８】
【図１】本発明の第１実施形態のテレビジョン受像装置を示す正面図である。
【図２】本発明の第１実施形態のテレビジョン受像装置の本体部の構成を示すブロック図である。
【図３】本発明の第１実施形態のテレビジョン受像装置の人体センサの検出領域について説明するための平面図である。
【図４】本発明の第１実施形態のテレビジョン受像装置の表示動作を示すフローチャートである。
【発明を実施するための形態】
【００１９】
＜第１実施形態＞
以下に図面を参照して本発明の実施形態を説明する。図１は第１実施形態のテレビジョン受像装置を示す正面図である。テレビジョン受像装置１（表示装置）はラック７０等に設置される設置部１１１により支持される本体部１０を有し、ＴＶ放送信号を受信する。本体部１０の前面には映像を表示する表示部１０４、音声出力部１０３及び人体センサ１０９が設けられる。また、本体部１０にはＨＤＤ装置、ＤＶＤ装置、Ｂｌｕ−ｒａｙ（登録商標）装置等の映像を再生する映像再生装置６０が接続される。
【００２０】
音声出力部１０３はスピーカから成り、音声を出力する。表示部１０４は例えば液晶表示パネルから成り、ＴＶ放送局から受信した映像信号に基づく映像や映像再生装置６０で再生された映像を表示する。
【００２１】
人体センサ１０９は居室内の人体までの距離を検出する。人体センサ１０９は、赤外線センサ、フレネルレンズ及び増幅回路から構成される（いずれも不図示）。赤外線センサは人体が放出する赤外線を検知する。フレネルレンズは赤外線センサに赤外線を集光する。増幅回路は赤外線センサの出力信号を増幅する。
【００２２】
赤外線センサの出力電圧は赤外線センサと人体との間の距離により変化する。例えば、赤外線センサと人体との間の距離が１ｍの時は赤外線センサの出力電圧が約５Ｖとなり、赤外線センサと人体との間の距離が２ｍの時は赤外線センサの出力電圧は約２．５Ｖとなる。これにより、人体センサ１０９は表示部１０４と人体との間の距離を測定することができる。
【００２３】
なお、人体センサ１０９として、発光素子である赤外発光ダイオードと受光素子である位置検出素子（ＰＳＤ：Position Sensitive Detector）とを用いた光学式センサを用いてもよい。
【００２４】
また、本体部１０はリモートコントローラ３０と赤外線やＢｌｕｅｔооｔｈ（登録商標）規格に従った無線通信を行い、リモートコントローラ３０によって遠隔操作される。リモートコントローラ３０は十字キー３０ａ及び文字キー３０ｂを有する。
【００２５】
映像再生装置６０は接続ケーブル１０７ａ（図２参照）により本体部１０に接続される。映像再生装置６０は放送番組等の映像や音声を媒体に記録し、媒体に記録された映像や音声を再生する。
【００２６】
映像再生装置６０は表示部６０４及び操作部６０５を有する。表示部６０４は例えば液晶表示パネルから成り、録画操作中の放送番組名や録画時間等を表示する。操作部６０５は複数の操作ボタン６０５ａを有し、各操作ボタン６０５ａの操作により映像再生装置６０への電源投入や媒体に記録された映像の再生動作等を行うことができる。また、映像再生装置６０はリモートコントローラ３０によって遠隔操作することができる。
【００２７】
図２は、テレビジョン受像装置１の本体部１０の構成を示すブロック図である。本体部１０はＣＰＵから成る制御部１０１を備え、制御部１０１はテレビジョン受像装置１の各部を制御する。制御部１０１には、チューナ１０２、音声出力部１０３、表示部１０４、操作部１０５、無線接続部１０６、有線接続部１０７、記憶部１０８及び人体センサ１０９がそれぞれ接続されている。
【００２８】
操作部１０５は本体部１０の上面や側面に配される複数の操作ボタン（不図示）を有し、各操作ボタンの操作により本体部１０への電源投入、チャンネルの変更、音声出力部１０３から出力される音量の調節等を行うことができる。
【００２９】
チューナ１０２にはアンテナ１０２ａが接続され、チューナ１０２はアンテナ１０２ａを介してＴＶ放送局からＴＶ放送信号を受信して復調する。
【００３０】
無線接続部１０６にはアンテナ１０６ａが設けられる。無線接続部１０６はアンテナ１０６ａを介してＢｌｕｅｔооｔｈ規格に従った無線通信によりリモートコントローラ３０との間で通信データの送受信を行う。
【００３１】
有線接続部１０７には接続ケーブル１０７ａを介して映像再生装置６０等が接続される。接続ケーブル１０７ａはＨＤＭＩ（High-Definition Multimedia Interface）（登録商標）規格に準拠している。また、接続ケーブル１０７ａにはＣＥＣ（Consumer Electronics Control）制御線（不図示）が設けられている。本体部１０や映像再生装置６０で設定した機能を動作させるためのコマンドはＣＥＣ制御線を介して本体部１０と映像再生装置６０との間で送受信される。これにより、本体部１０と映像再生装置６０との間で相互に機能を制御することができる。例えば、有線接続部１０７により、本体部１０は映像再生装置６０に対して制御信号を送信することができる。
【００３２】
記憶部１０８は例えばＥＥＰＲＯＭ等から成り、本体部１０の動作プログラムや各種データを記憶する。
【００３３】
図３は、人体センサ１０９の検出領域について説明するための平面図を示している。テレビジョン受像装置１の本体部１０の前方には人体センサ１０９の検出領域である第１領域Ａ１及び第２領域Ａ２が設定される。第１領域Ａ１及び第２領域Ａ２は使用者が滞在して表示部１０４の映像を見続けると使用者の目に悪影響が及ぶおそれのある範囲である。
【００３４】
第１領域Ａ１は表示部１０４の前面に対して所定の距離内の範囲となっている。第１領域Ａ１の大きさに特に限定はないが、本実施形態では第１領域Ａ１の平面形状は人体センサ１０９を中心とした半径０．５ｍの半円形状になっている。
【００３５】
第２領域Ａ２は第１領域Ａ１の外側に設定され、表示部１０４の前面に対して第１領域Ａ１よりも離れた所定範囲となっている。第２領域Ａ２の大きさに特に限定はないが、本実施形態では第２領域Ａ２の平面形状は人体センサ１０９を中心とした半径１ｍの半円形状になっている。なお、リモートコントローラ３０や操作部１０５の所定操作により第１領域Ａ１や第２領域Ａ２の設定範囲を変更することができる。
【００３６】
図４はテレビジョン受像装置１の表示動作を示すフローチャートである。なお、放送番組の映像を表示部１０４に表示する場合と映像再生装置６０の再生動作時に表示部１０４に映像を表示する場合とではテレビジョン受像装置１の表示動作は同様である。そこで、ここでは放送番組の映像を表示部１０４に表示する場合を例として説明する。
【００３７】
リモートコントローラ３０または操作部１０５の所定操作によりテレビジョン受像装置１の本体部１０に電源を投入すると、表示部１０４に放送番組の映像が表示される。また、音声出力部１０３から放送番組の音声が出力される。
【００３８】
ステップ＃１では、人体Ｈが第１領域Ａ１に滞在したことを示すフラグＦに０を代入してフラグＦが初期化される。ステップ＃２では人体センサ１０９により居室内の人体Ｈが検出される。
【００３９】
ステップ＃３では、第２領域Ａ２の外に人体Ｈが存在するか否かが判断される。第２領域Ａ２の外に人体Ｈが存在する場合には、ステップ＃４に移行する。第２領域Ａ２の外に人体Ｈが存在しない場合には、ステップ＃６に移行する。
【００４０】
ステップ＃４では、後述するステップ＃１４で１を代入されたフラグＦに０が代入される。ステップ＃５では、表示部１０４の表示状態を所定の輝度の標準表示モードにして映像を表示する。この時、所定の音量で音声出力部１０３から音声が出力される。標準表示モードの輝度及び音量は使用者が放送番組を視聴するのに適した輝度及び音量に設定されている。なお、標準表示モードの輝度及び音量を１００％とする。ステップ＃５の後にステップ＃２に戻り、人体センサ１０９による人体Ｈの検出が継続される。
【００４１】
ステップ＃６では、第２領域Ａ２内に人体Ｈが存在するか否かが判断される。第２領域Ａ２内に人体Ｈが存在しない場合にはステップ＃１３に移行する。この時、人体Ｈは第１領域Ａ１内に存在する。第２領域Ａ２内に人体Ｈが存在する場合にはステップ＃７に移行する。
【００４２】
ステップ＃１３では、第１領域Ａ１に進入した人体Ｈの滞在時間ｔ１が所定の第１滞在時間Ｔ１（例えば３０秒）以上か否かが判断される。滞在時間ｔ１が第１滞在時間Ｔ１未満の場合にはステップ＃２に戻る。滞在時間ｔ１が第１滞在時間Ｔ１以上の場合にはステップ＃１４に移行する。
【００４３】
ステップ＃１４では、フラグＦに１が代入される。すなわち、フラグＦは表示部１０４の表示状態が第１低輝度モードである場合に１が代入され、表示部１０４の表示状態が標準表示モードである場合に０が代入される。
【００４４】
ステップ＃１５では、「ＴＶを消灯します。離れて見て下さい。」等のメッセージが表示部１０４に表示される。このメッセージによって表示部１０４に表示されている映像が非表示になることを報知する。
【００４５】
ステップ＃１６では、表示部１０４の表示状態を標準表示モードよりも低輝度の第１低輝度モードにする。本実施形態では、表示部１０４の輝度を０％にして映像を非表示にする。これにより、使用者は表示部１０４から離れるように促される。この時、音声出力部１０３から出力される音声を標準表示モード時よりも大きくする。標準表示モード時の音量を１００％とすると、第１低輝度モード時の音量を例えば２００％とする。これにより、使用者は表示部１０４から離れるように一層強く促される。ステップ＃１６の後にはステップ＃２に戻る。
【００４６】
ステップ＃７では、フラグＦが１か否かが判断される。フラグＦが１の場合は人体Ｈが第１領域Ａ１から第２領域Ａ２に進入したことを示し、ステップ＃２に戻って第１低輝度モードが維持される。フラグＦが０の場合は人体Ｈが第２領域Ａ２の外側から第２領域Ａ２に進入したことを示し、ステップ＃８に移行する。
【００４７】
ステップ＃８では、第２領域Ａ２に進入した人体Ｈの滞在時間ｔ２が所定の第２滞在時間Ｔ２（例えば３０秒）以上か否かが判断される。滞在時間ｔ２が第２滞在時間Ｔ２よりも短い場合にはステップ＃２に戻る。滞在時間ｔ２が第２滞在時間Ｔ２以上の場合にはステップ＃９に移行する。なお、本実施形態では第２滞在時間Ｔ２は第１滞在時間Ｔ１と同じに設定されているが、第１滞在時間Ｔ１と異なるように設定されてもよい。
【００４８】
ステップ＃９では、後述の第２低輝度モードに移行した移行回数ｎが所定期間Ｔｒ内に輝度変更回数Ｎｃを超えたか否かが判断される。すなわち、第２低輝度モードに移行する頻度（ｎ／Ｔｒ）が所定値（Ｎｃ／Ｔｒ）よりも大きいか否かが判断される。移行回数ｎが所定期間Ｔｒ（例えば４時間）内に輝度変更回数Ｎｃ（例えば１０回）を超えた場合には、ステップ＃１２に移行する。移行回数ｎが所定期間Ｔｒ内に輝度変更回数Ｎｃを超えていない場合には、ステップ＃１０に移行する。
【００４９】
ステップ＃１０では、滞在時間ｔ２が所定の輝度変更時間Ｔｃを超えているか否かが判断される。輝度変更時間Ｔｃは第２滞在時間Ｔ２よりも長く、例えば２分に設定される。滞在時間ｔ２が輝度変更時間Ｔｃを超えた場合には、ステップ＃１２に移行する。滞在時間ｔ２が輝度変更時間Ｔｃを超えていない場合には、ステップ＃１１に移行する。
【００５０】
ステップ＃１１では、表示部１０４の表示状態を標準表示モードと第１低輝度モードとの間の輝度の第２低輝度モードにする。第２低輝度モードでは表示部１０４に標準表示モードの輝度の５０％で映像が表示される。これにより、標準表示モード時よりも表示部１０４の映像の輝度が低下するため、使用者は表示部１０４から離れるように促される。この時、音声出力部１０３から出力される音声の音量は標準表示モード時の音量の２倍になっている。これにより、使用者は表示部１０４から離れるように一層強く促される。
【００５１】
ステップ＃７でフラグＦが１の場合には、使用者が第１領域Ａ１から第２領域Ａ２に進入して第１低輝度モードが維持されるため、表示部１０４の映像は非表示のままになっている。すなわち、使用者が第１領域Ａ１から第２領域Ａ２へ後退しても第２低輝度モードには移行せず、表示部１０４の映像の輝度は上昇しない。これにより、使用者が目に安全な第２領域Ａ２外と誤認することを防止する。したがって、第２領域Ａ２内での使用者の滞在を防止し、使用者の目に対する悪影響を低減することができる。
【００５２】
ステップ＃１２では、第２低輝度モードの輝度を低下させる。例えば、標準表示モードの輝度の２５％にする。これにより、使用者が第２領域Ａ２に滞在した滞在時間ｔ２や頻度（ｎ／Ｔｒ）が大きい場合に、使用者に対して表示部１０４から離れるように一層強く促すことができる。
【００５３】
ステップ＃１１及びステップ＃１２の後はステップ＃２に戻り、ステップ＃２〜ステップ＃１６が繰り返される。
【００５４】
本実施形態によると、使用者が第２領域Ａ２の外側から第２領域Ａ２に進入すると第２低輝度モードにより表示部１０４の映像の輝度が低下し、表示部１０４から離れるように促される。これにより、第２領域Ａ２の外側から第２領域Ａ２に一時的に進入した使用者が第２低輝度モードによって映像を判別することができる。使用者が第２領域Ａ２から第１領域Ａ１に進入すると第１低輝度モードにより表示部１０４の映像の輝度が更に低下し、再度表示部１０４から離れるように促される。これにより、使用者が表示部１０４に対して至近距離の第１領域Ａ１に進入すると、第１低輝度モードにより使用者を早急に退避させることができる。
【００５５】
また、使用者が第１領域Ａ１から第２領域Ａ２に進入すると第１低輝度モードが維持される。これにより、使用者が目に安全な第２領域Ａ２外と誤認することを防止し、第２領域Ａ２内での使用者の滞在が防止される。したがって、テレビジョン受像装置１の利便性を低下させることなく、使用者の目に対する悪影響を低減することができる。
【００５６】
また、表示部１０４の表示状態が標準表示モードまたは第２低輝度モードになっている際に第１領域Ａ１に進入した人体Ｈが第１滞在時間Ｔ１を超えて第１領域Ａ１に滞在したときに第１低輝度モードに切り替えるとともに、第２領域Ａ２の外側から第２領域Ａ２に進入した人体Ｈが第２滞在時間Ｔ２を超えて第２領域Ａ２に滞在したときに第２低輝度モードに切り替える。これにより、使用者が第１領域Ａ１内や第２領域Ａ２内を一時的に通過したにすぎない場合には、表示部１０４の映像の輝度は低下しない。したがって、テレビジョン受像装置１の利便性を一層向上させることができる。
【００５７】
また、第２滞在時間Ｔ２よりも長い輝度変更時間Ｔｃを超えて人体Ｈが第２領域Ａ２に滞在した際に第２低輝度モードの輝度を下げる。これにより、使用者は表示部１０４から離れるように一層強く促される。したがって、使用者の目に対する悪影響を一層低減することができる。
【００５８】
また、第２低輝度モードに移行する頻度が所定値よりも大きいときに、第２低輝度モードの輝度を下げる。これにより、使用者は表示部１０４から離れるように一層強く促される。したがって、使用者の目に対する悪影響を一層低減することができる。
【００５９】
また、音声を出力する音声出力部１０３を備え、第１低輝度モードの音量が標準表示モードの音量よりも大きいので、使用者は表示部１０４から離れるように一層強く促される。したがって、使用者の目に対する悪影響を一層低減することができる。
【００６０】
本実施形態では、テレビジョン受像装置１の本体部１０は映像再生装置６０の接続時に映像再生装置６０に対して制御信号を送信する有線接続部１０７（送信部）を備えている。そこで、映像再生装置６０による映像の再生中に第１低輝度モードに切り替えた際に映像再生装置６０による再生動作を停止してもよい。これにより、映像再生装置６０で再生された映像を表示部１０４に表示している場合にも放送番組の映像を表示している場合と同様に使用者の目に対する悪影響を低減することができる。
【００６１】
また本実施形態では、第１低輝度モードのときに映像を非表示にしているが、第１低輝度モードの輝度を第２低輝度モードの輝度よりも低くすれば、第１低輝度モード時の表示部１０４に映像を表示してもよい。これにより、放送番組の視聴が中断されないため、放送番組の見逃しを防止することができる。したがって、テレビジョン受像装置１の使用性を向上させることができる。
【００６２】
＜第２実施形態＞
次に、本発明の第２実施形態について説明する。本実施形態は使用者が放送番組を視聴している際の第１低輝度モード時に、映像再生装置６０による録画動作を行う点で第１実施形態とは異なっている。その他の部分は第１実施形態と同様である。
【００６３】
図４のステップ＃１６において、映像再生装置６０は放送番組の録画を行う。これにより、放送番組の視聴中に第１低輝度モードに移行して表示部１０４の映像が非表示になった場合でも使用者は非表示の間の放送番組を見ることができる。したがって、放送番組の見逃しを確実に防止することができる。
【００６４】
第２実施形態によると、第１実施形態と同様な効果を得ることができる。また、使用者が放送番組の視聴中に第１低輝度モードに移行した際に映像再生装置６０によって放送番組が録画される。これにより、第１低輝度モードに移行した場合でも放送番組の見逃しを確実に防止することができる。
【００６５】
＜第３実施形態＞
次に、本発明の第３実施形態について説明する。本実施形態は第２低輝度モード時に標準表示モードに対して映像の輝度を低下させるとともに、映像のコントラスト比を低下させる点で第１実施形態とは異なっている。その他の部分は第１実施形態と同様である。
【００６６】
図４のステップ＃１１及びステップ＃１２において、表示部１０４に表示される映像のコントラスト比を標準表示モード時よりも低下させる。これにより、第２低輝度モード時に表示部１０４に表示される映像は標準表示モード時の映像よりも不明瞭になる。したがって、使用者は表示部１０４から離れるように一層強く促される。
【００６７】
第３実施形態によると、第１実施形態と同様な効果を得ることができる。また、第２低輝度モードにより表示部１０４に表示される映像のコントラスト比を標準表示モードにより表示部１０４に表示される映像のコントラスト比よりも低下させる。これにより、第２低輝度モード時に表示部１０４に表示される映像は、標準表示モード時に表示部１０４に表示される映像よりも不明瞭になる。したがって、使用者は表示部１０４から離れるように一層強く促される。その結果、使用者の目に対する悪影響を一層低減することができる。
【００６８】
第１〜第３実施形態では、表示装置としてテレビジョン受像装置１を例に説明しているが、映像再生装置６０による映像の再生中に映像を表示できるディスプレイ等でもよい。
【産業上の利用可能性】
【００６９】
本発明は、人体センサを備えた表示装置に利用することができる。
【符号の説明】
【００７０】
１        テレビジョン受像装置（表示装置）
１０      本体部
３０      リモートコントローラ
６０      映像再生装置
１０１    制御部
１０２    チューナ
１０３    音声出力部
１０４    表示部
１０５    操作部
１０６    無線接続部
１０７    有線接続部
１０８    記憶部
１０９    人体センサ
Ａ１      第１領域
Ａ２      第２領域
【図１】
2015039126.tif 000003
【図２】
2015039126.tif 000004
【図３】
2015039126.tif 000005
【図４】
2015039126.tif 000006